(57)【要約】【課題】上端開口のケースを確実に閉塞でき、持ち運び作業性のよいケースの蓋を提供する。【解決手段】底壁の外周縁に側壁２Ａ〜２Ｄを設け、少なくとも対向する一対の側壁２Ａ，２Ｃにそれぞれ把持孔４を設けたケース１の上端開口３を閉塞する紙製の蓋１０Ａであって、ケース１の上端開口３を覆う蓋板１１と、把持孔４を設けた側壁２Ａ．２Ｃの外面に沿って延びる外板１９と、外板１９から屈曲して把持孔４の上端内面に沿って延びる把持板２０とを備えた構成とする。また、外板１９が側壁２Ａ，２Ｃに沿い、把持板２０が把持孔４の内面に沿った屈曲状態に係止する係止部２１を更に設ける。【選択図】図１
2007022634.tif 000002
【特許請求の範囲】
【請求項１】
底壁の外周縁に側壁を設け、少なくとも対向する一対の側壁にそれぞれ把持孔を設けたケースの上端開口を閉塞する紙製の蓋であって、
前記ケースの上端開口を覆う蓋板と、前記把持孔を設けた側壁の外面に沿って延びる外板と、該外板から屈曲して前記把持孔からケース内に向けて延びる把持板とを備えたことを特徴とするケースの蓋。
【請求項２】
前記外板が側壁に沿い、前記把持板が把持孔からケース内に向けて延びる状態に係止する係止部を更に備えたことを特徴とする請求項１に記載のケースの蓋。
【発明の詳細な説明】
【技術分野】
【０００１】
本発明は、青果物などを収容する樹脂製のケースを閉塞する蓋に関するものである。
【背景技術】
【０００２】
従来、キャベツなどの重量がある青果物（以下「商品」と称する。）は、樹脂製のコンテナなどからなるケースに収容した状態で輸送される。しかし、このケースは上端開口であるため、輸送中の振動により商品が脱落したり、ケース自体が横転すると多数の商品が脱落するという問題がある。そこで、ケースの上端開口を確実に閉塞できる使い捨ての蓋が要望されている。
【０００３】
本発明のケースの蓋に関連する先行技術文献情報としては次のものがある。
【０００４】
【特許文献１】特許第２７６０８７３号公報
【特許文献２】特開２００３−１１９７２号公報
【０００５】
特許文献１には、矩形状をなすケースの上端開口を覆う蓋板の長手方向両端に、ケースの側壁内面に沿って延びる端板を連設するとともに、各端板に凹字形状をなす切断線を設け、ケースの把持孔に外向きに延びて係止する係止片を設けた蓋が記載されている。
【０００６】
しかしながら、この特許文献１では、把持孔の内部から係止片が外向きに突出するため、輸送作業者が該把持孔に手を差し込んで持ち上げると、前記係止片の縁が手のひらに突き刺さるように当接する。そのため、作業者に対して違和感を与えるばかりか、痛みを感じさせるため、作業性が悪いという問題がある。
【０００７】
また、特許文献２には、矩形状をなすケースの上端開口を覆う蓋板の外周縁に、ケースの各側壁外面に沿って延びる外板を連設するとともに、隣接する外板を糊代部で貼着した蓋が記載されている。さらに、この蓋には、各側板の稜部に、内向きに屈曲させてケースの上端縁枠の下面に係止する係止部が設けられている。
【０００８】
しかしながら、この蓋は、ボックス型のパレットに適用することを前提としているため、把持孔を有するケースには適用できない。即ち、作業者が搬送することを可能としたケースには把持孔が形成されているが、前記蓋では、把持孔を覆い隠してしまうという問題がある。また、仮に覆い隠さない状態であっても、側板の縁がやはり作業者の手のひらに当接するため、作業者に対して違和感を与えるばかりか、痛みを感じさせるという問題がある。
【発明の開示】
【発明が解決しようとする課題】
【０００９】
本発明は、上端開口のケースを確実に閉塞でき、持ち運び作業性のよいケースの蓋を提供することを課題とするものである。
【課題を解決するための手段】
【００１０】
前記課題を解決するため、本発明のケースの蓋は、底壁の外周縁に側壁を設け、少なくとも対向する一対の側壁にそれぞれ把持孔を設けたケースの上端開口を閉塞する紙製の蓋であって、前記ケースの上端開口を覆う蓋板と、前記把持孔を設けた側壁の外面に沿って延びる外板と、該外板から屈曲して前記把持孔からケース内に向けて延びる把持板とを備えた構成としている。
【００１１】
本発明の蓋によれば、把持孔を設けたケースの側壁の外面に沿って延びる外板を設け、該外板に把持孔からケース内に向けて延びる把持板を設けているため、作業者が把持孔に手を差し込んで持ち上げた場合、手のひらに当接するのは外板と把持板との間の稜部である。そのため、作業者の手に端縁が突き刺さることによる違和感や痛みを与えることを防止できる。
【００１２】
このケースの蓋では、前記外板が側壁に沿い、前記把持板が把持孔からケース内に向けて延びる状態に係止する係止部を更に備えることが好ましい。このようにすれば、ケースに対して蓋を装着した状態を確実に維持でき、輸送中の振動やケースの横転により商品が外部に脱落することを防止できる。
【００１３】
具体的には、前記係止部は、前記把持板から屈曲して前記側壁の内面に沿って延びる内板と、該内板の両側に連設した係止板とからなる。
または、前記把持板は、その両側縁が前記外板と反対の先端に向けて広がる形状をなし、前記係止部は、前記側壁の内面に沿って延びるように切り起こしによって前記蓋板に設けた内板に、前記把持板の先端の幅より小さい幅で設けた係止孔を備えた構成をなす。
または、前記係止部は、前記把持板から屈曲して前記側壁の内面に沿って延びる内板に設けた係止片と、前記蓋板に設けた係止孔とからなる。
【発明の効果】
【００１４】
本発明のケースの蓋では、作業者が把持孔に手を差し込んで持ち上げた場合、手のひらに当接するのは外板と把持板との間の稜部であるため、作業者に対して手に違和感や痛みを与えることを防止できる。また、外板が側壁に沿い、把持板が把持孔内に沿った屈曲状態に係止する係止部を設けているため、ケースに対して蓋を装着した状態を確実に維持できる。その結果、輸送中の振動やケースの横転により商品が外部に脱落することを防止できる。
【発明を実施するための最良の形態】
【００１５】
以下、本発明の実施の形態を図面に従って説明する。
【００１６】
図１から図４は、本発明に係る第１実施形態のケース１の蓋１０Ａを示す。まず、ケース１は、図１に示すように、矩形状をなす底壁（図示せず）の外周縁から側壁２Ａ〜２Ｄを立設した樹脂製のコンテナである。これら底壁および側壁２Ａ〜２Ｄには、縦方向に延びるスリットからなる通気孔が多数設けられている。また、対向する側壁２Ａ，２Ｃには、上端開口３の近傍にそれぞれ把持孔４が設けられている。
【００１７】
図１および図４に示すように、本発明の蓋１０Ａは段ボール紙製であり、その中央部にケース１の上端開口３を覆う蓋板１１を備えている。ここで、この蓋１０Ａの形成材料である段ボール紙は、一対の表紙および裏紙の間に波状の中しんを配設したもので、本実施形態では、この中しんが、蓋板１１に対して斜めに傾斜して延びるように、周知の紙器打抜装置により図４に示すブランクとして打ち抜いている。
【００１８】
前記蓋板１１は、図４中、縦方向の寸法Ｓ１が、ケース１の側壁２Ａ，２Ｃ間の外法と略同一に設定され、横方向の寸法Ｓ２が、ケース１の側壁２Ｂ，２Ｄ間の内法と略同一に設定されている。また、本実施形態の蓋板１１は、ケース１の四隅に位置する部分に面取部１２が設けられ、平面視で縦横比が異なる八角形状をなすように形成されている。そのうち、蓋板１１の横方向両端縁には、縦方向に所定間隔をもって略横Ｕ字形状をなす切断線１３がそれぞれ一対に設けられ、各切断線１３内に位置決め片１４が設けられている。
【００１９】
そして、前記蓋板１１の縦方向両端には装着部１５が設けられ、その境界部分に肉厚を圧縮するように罫を入れて形成した折曲線１６が設けられている。また、蓋板１１の横方向両端には差込板１７が設けられ、その境界部分である切断線１３の両端間を除く位置には折曲線１８が設けられている。
【００２０】
前記装着部１５は、前記蓋板１１に連続した外板１９と、該外板１９に連続した把持板２０と、該把持板２０に連続した係止部２１とを備えている。外板１９は、把持孔４を設けた側壁２Ａ，２Ｃの外面に沿って延びるように配置されるもので、その突出寸法は、ケース１の上端縁から把持孔４の上端縁までの高さと略同一に形成されている。把持板２０は、外板１９から屈曲し、把持孔４の上端内面に沿ってケース１内に向けて延びるように配置されるもので、その寸法は、把持孔４の上端内面の幅と略同一に形成されている。
【００２１】
前記係止部２１は、外板１９が側壁２Ａ，２Ｃに沿い、把持板２０が把持孔４からケース１内に向けて延びる状態に係止するためのもので、把持板２０から屈曲して側壁２Ａ，２Ｃの内面に沿って延びる内板２２と、該内板２２の両側に連設した係止板２３とからなる。前記内板２２は、側壁２Ａ，２Ｃの内面に沿って上向きに延びるもので、その寸法は、ケース１の上端縁から把持孔４の上端縁までの高さより小さく形成されている。
【００２２】
前記外板１９、把持板２０および内板２２の各境界部分には折曲線２４が設けられている。また、内板２２と係止板２３との境界部分には折曲線と切断線とからなるリード罫２５が設けられている。さらに、把持板２０の両側の境界部分には、平行に延びる切断線２６が設けられている。さらにまた、これら切断線２６の略中央から面取部１２に向けて、外板１９と係止板２３とを区画する切断線２７が設けられている。そして、これら各境界線２４〜２７により、内板２２の両側に三角形状をなす係止板２３が形成される。これら係止板２３の両端間の寸法は、ケース１の把持孔４の横方向の寸法より大きく形成されている。
【００２３】
前記蓋１０Ａによってケース１の上端開口３を閉塞する場合には、図１に示すように、蓋板１１に対して外板１９を屈曲させるとともに、差込板１７を屈曲させる。そして、この状態で、ケース１の上端に覆い被せることにより、装着部１５を側壁２Ａ，２Ｃの外面に被せるとともに、差込板１７を側壁２Ｂ，２Ｄの内面に差し込む。これにより、図２に示すように、蓋板１１に突設した位置決め片１４がケース１の上端面に載った状態で係止する。なお、この装着作業時には、装着部１５の外板１９は必ずしも屈曲させておく必要はない。
【００２４】
その後、外板１９が側壁２Ａ，２Ｃの外面に沿って垂下した状態で、外板１９に対して把持板２０を屈曲させて把持孔４内に進入させる。この際、係止板２３は、リード罫２５に沿って屈曲しながら把持孔４の内周に当接して進入される。その後、把持孔４の内部から突出した内板２２を側壁２Ａ，２Ｃの内面に沿うように把持板２０に対して屈曲させる。そうすると、両側の係止板２３が把持孔４を完全に通過してケース１内に固定され、側壁２Ａ，２Ｃの内面に係止することにより、図３に示す装着状態となる。
【００２５】
この蓋１０Ａを装着したケース１を輸送するに際し、作業者がケース１を持ち上げる場合には、従来と同様に、ケース１の把持孔４から手を挿入する。この際、本実施形態の蓋１０Ａは、ケース１の側壁２Ａ，２Ｃの外面に沿って延びる外板１９から、内向きに延びるように把持板２０を設けているため、これらの稜部に手が当たる。そのため、作業者の手に端縁が突き刺さるような違和感や痛みを与えることを防止できる。
【００２６】
しかも、本実施形態の蓋１０Ａには、把持板２０から屈曲する内板２２と、内板２２の両側に連設した係止板２３とからなる係止部２１を設けているため、図２および図３に示す装着状態を確実に維持できる。その結果、輸送中の振動やケース１の横転により商品がケース１の外部に脱落することを防止できる。
【００２７】
さらに、本実施形態の蓋１０Ａは、略長方形状をなす蓋板１１において、その横方向または縦方向に中しんが延びるのではなく斜め方向に延びるように構成し、屈曲される全て部分が中しんを横切るように構成しているため、折れ曲がりに対する強度を高めることができる。
【００２８】
なお、この装着状態の蓋１０Ａをケース１から取り外す場合には、例えば把持孔４から手を挿入して内板２２を無理に引き抜くことにより、係止板２３を引き裂いて係止を解除することにより、簡単に取り外すことができる。
【００２９】
図５から図８は第２実施形態のケース１の蓋１０Ｂを示す。この蓋１０Ｂは、内板２２と係止板２３とからなる係止部２１の構成を変更した点で、第１実施形態と相違している。具体的には、第２実施形態の蓋１０Ｂは、第１実施形態と同様に、面取部１２および位置決め片１４を有する蓋板１１を備えている。また、この蓋板１１の外周縁には、第１実施形態と同様の差込板１７と外板１９とを備えている。
【００３０】
そして、第２実施形態では、図５および図８に示すように、前記外板１９には、その両側縁が該外板１９から先端に向けて広がる形状をなす把持板２８が設けられている。また、把持板２８は、把持孔４からケース１内に突出する寸法で形成されている。
【００３１】
また、第２実施形態では、蓋板１１には、切り起こし構造により側壁２Ａ，２Ｃの内面に沿って延びる内板２９が設けられ、この内板２９に、前記把持板２８の先端の幅より小さい幅で係止孔３０が設けられている。具体的には、内板２９は、外板１９との境界である折曲線１６と所定間隔をもって平行に位置する折曲線３１が設けられ、この折曲線３１の両端間を連続するように略Ｕ字形状の切断線３２が設けられている。これにより、外板１９の側を連続端とした切り起こし構造の内板２９を形成している。そして、これら把持板２８、内板２９および係止孔３０により、外板１９が側壁２Ａ，２Ｃに沿い、把持板２８が把持孔４からケース１内に延びる状態に係止する係止部２１を構成している。
【００３２】
この第２実施形態の蓋１０Ｂによってケース１の上端開口３を閉塞する場合には、少なくとも差込板１７を屈曲させた状態で、該蓋１０Ｂをケース１の上端に覆い被せる。なお、外板１９は、第１実施形態と同様に、蓋板１１に対して屈曲させておいてもよいし、屈曲させてなくてもよい。また、内板２９は、ケース１内に収容した商品が多く、上端開口近傍まで位置している場合には予め屈曲させた状態で装着する一方、商品が少ない場合には装着後に屈曲させてもよい。
【００３３】
その後、外板１９が側壁２Ａ，２Ｃの外面に沿って垂下させた状態で、外板１９に対して把持板２８を屈曲させて把持孔４内に進入させる。この際、作業者は、内板２９が側壁２Ａ，２Ｃの内面に沿った状態を維持するように、手で押さえておく。これにより、回動により把持孔４を通して内向きに屈曲される把持板２８は、内板２９の係止孔３０内を貫通して係止する。これにより、図６および図７に示す装着状態が確実に維持される。
【００３４】
この第２実施形態の蓋１０Ｂを装着したケース１は、第１実施形態と同様に、作業者が持ち上げた際に、手に違和感や痛みを与えることを防止できる。また、確実に装着状態を維持でき、輸送中に商品が外部に脱落することを防止できる。さらに、この装着状態の蓋１０Ｂをケース１から取り外す場合には、例えば把持孔４から手を挿入して把持板２８の縁を引っ張ることにより、把持板２８と係止孔３０との係止を解除し、取り外すことができる。
【００３５】
図９から図１２は第３実施形態のケース１の蓋１０Ｃを示す。この蓋１０Ｃは、第２実施形態と同様に係止部２１の構成を変更した点で、第１実施形態と相違している。具体的には、第３実施形態の蓋１０Ｃは、第１実施形態と同様に、面取部１２および位置決め片１４を有する蓋板１１を備えている。また、この蓋板１１の外周縁には、第１実施形態と同様の差込板１７と、外板１９と、把持板２０とを備えている。
【００３６】
第３実施形態では、図９および図１２に示すように、前記把持板２０には、側壁２Ａ，２Ｃの内面に沿って上向きに延びる内板３３が連設されている。この内板３３は、外板１９と略同一寸法、即ち、ケース１の上端縁から把持孔４の上端縁までの寸法と略同一寸法で形成されている。そして、この内板３３には、係止板２３の代わりに、その先端から略Ｔ字形状に突出する係止片３４が突設されている。
【００３７】
また、第３実施形態では、蓋板１１には、外板１９との境界である折曲線１６の近傍に、前記係止片３４を挿入係止する係止孔３５が設けられている。この係止孔３５の中央には、内側である中央に向けて半円形状に切り欠いた切欠部３６が設けられている。また、この切欠部３６から中央へ縦向に延びるように切断線３７が設けられるとともに、係止孔３５の内側隅部から斜め外方に延びるように切断線３８が設けられている。さらに、切断線３７の先端から係止孔３５の内側隅部にかけて折曲線３９が設けられている。
【００３８】
この第３実施形態の蓋１０Ｃによってケース１の上端開口３を閉塞する場合には、例えば第１実施形態と同様に、差込板１７を屈曲させるとともに、外板１９を蓋板１１に対して屈曲させた状態で、ケース１の上端に覆い被せる。
【００３９】
その後、外板１９に対して把持板２０を屈曲させて把持孔４内に進入させるとともに、把持板２０に対して内板３３を屈曲させ、その先端の係止片３４を蓋板１１の係止孔３５に挿通させて係止する。これにより、図１０および図１１に示す装着状態が確実に維持される。
【００４０】
この第３実施形態の蓋１０Ｃを装着したケース１は、第１実施形態と同様に、作業者が持ち上げた際に、手に違和感や痛みを与えることを防止できる。また、確実に装着状態を維持でき、輸送中に商品が外部に脱落することを防止できる。さらに、この装着状態の蓋１０Ｃをケース１から取り外す場合には、例えば蓋板１１から突出した係止片３４を上方から押し込むことにより、係止片３４と係止孔３５との係止を解除し、取り外すことができる。
【００４１】
なお、本発明のケース１の蓋は、前記実施形態の構成に限定されるものではなく、種々の変更が可能である。
【００４２】
例えば、前記実施形態では、蓋板１１の四隅に面取部１２を形成したが、この面取部１２は設けることなく、ケース１の上端開口３の形状と一致させてもよい。勿論、ケース１が平面視矩形状ではない場合には、その平面視形状に一致させることが好ましい。また、ケース１は樹脂製のコンテナに限られず、上端開口の段ボール箱であってもよく、適用するケースの種類は問われない。さらに、ケース１に２以上の把持孔４が形成されている場合には、全ての把持孔４を設けた側壁に外板１９と把持板と係止部２１を有する装着部１５を設けてもよいうえ、対向する一対の側壁にのみ装着部１５を設けてもよい。
【図面の簡単な説明】
【００４３】
【図１】本発明に係る第１実施形態のケースと蓋の分解斜視図である。
【図２】第１実施形態の蓋の装着状態を示す斜視図である。
【図３】図２の要部断面図である。
【図４】第１実施形態の蓋のブランクを示す平面図である。
【図５】第２実施形態のケースと蓋の分解斜視図である。
【図６】第２実施形態の蓋の装着状態を示す斜視図である。
【図７】図６の要部断面図である。
【図８】第２実施形態の蓋のブランクを示す平面図である。
【図９】第３実施形態のケースと蓋の分解斜視図である。
【図１０】第３実施形態の蓋の装着状態を示す斜視図である。
【図１１】図１０の要部断面図である。
【図１２】第３実施形態の蓋のブランクを示す平面図である。
【符号の説明】
【００４４】
１…ケース
２Ａ〜２Ｄ…側壁
３…上端開口
４…把持孔
１０Ａ〜１０Ｃ…蓋
１１…蓋板
１７…差込板
１９…外板
２０…把持板
２１…係止部
２２…内板
２３…係止板
２８…把持板
２９…内板
３０…係止孔
３３…内板
３４…係止片
３５…係止孔
【図１】
2007022634.tif 000003
【図２】
2007022634.tif 000004
【図３】
2007022634.tif 000005
【図４】
2007022634.tif 000006
【図５】
2007022634.tif 000007
【図６】
2007022634.tif 000008
【図７】
2007022634.tif 000009
【図８】
2007022634.tif 000010
【図９】
2007022634.tif 000011
【図１０】
2007022634.tif 000012
【図１１】
2007022634.tif 000013
【図１２】
2007022634.tif 000014